(57)【要約】【課題】  容易に複数に分割可能で家庭で洗濯することができ、さらに、居間等に設置した場合も安全性の高いこたつ布団を提供すること。【解決手段】  こたつ布団は、第１の布団片１１と、第２の布団片１２と、第３の布団片１３と、第１の布団片１１と第２の布団片１２とを連結するための第１のオープンファスナー２１および第２のオープンファスナー２２と、第２の布団片１２と第３の布団片１３とを連結するための第３のオープンファスナー２３および第４のオープンファスナー２４とを備える。各布団片１１、１２、１３を互いに連結した状態においては、各オープンファスナー２１、２２、２３、２４における各スライダー３０、４０、５０、６０は、第１の布団片１１と第２の布団片１２の連結部、または、第２の布団片１２と第３の布団片１３との連結部における略中央部の領域まで移動している。【選択図】        図１
2005261517.tif 000002
【特許請求の範囲】
【請求項１】
互いに連結されることによりこたつ布団を構成する複数の布団片と、前記布団片を互いに連結するためのオープンファスナーとから成るこたつ布団であって、
前記オープンファスナーの開具は前記複数の布団片における連結部の端部に配置されるとともに、前記オープンファスナーのスライダーは、当該オープンファスナーを閉じた状態においてこたつ板が載置される領域に配置されることを特徴とするこたつ布団。
【請求項２】
互いに連結されることによりこたつ布団を構成する第１、第２、第３の布団片と、
前記第１の布団片と前記第２の布団片とを連結するための、その開具が前記第１の布団片と前記第２の布団片の連結部における両方の端部に配置され、一対のスライダーが前記各開具と当接する位置からこたつ板が配置される領域までスライド可能なオープンファスナー機構と、
前記第２の布団片と前記第３の布団片とを連結するための、その開具が前記第２の布団片と前記第３の布団片の連結部における両方の端部に配置され、一対のスライダーが前記各開具と当接する位置からこたつ板が配置される領域までスライド可能なオープンファスナー機構と、
を備えることを特徴とするこたつ布団。
【請求項３】
互いに連結されることによりこたつ布団を構成する第１、第２、第３の布団片と、
一対のエレメントが前記第１の布団片と前記第２の布団片の連結部に配置され、その開具が前記第１の布団片と前記第２の布団片の連結部における一方の端部に配置されるとともに、そのスライダーがその開具に当接する位置から前記第１の布団片と前記第２の布団片の連結部におけるこたつ板が配置される領域までスライド可能な第１のオープンファスナーと、
一対のエレメントが前記第１の布団片と前記第２の布団片の連結部に配置され、その開具が前記第１の布団片と前記第２の布団片の連結部における他方の端部に配置されるとともに、そのスライダーがその開具に当接する位置から前記第１の布団片と前記第２の布団片の連結部におけるこたつ板が配置される領域までスライド可能な第２のオープンファスナーと、
一対のエレメントが前記第２の布団片と前記第３の布団片の連結部に配置され、その開具が前記第２の布団片と前記第３の布団片の連結部における一方の端部に配置されるとともに、そのスライダーがその開具に当接する位置から前記第２の布団片と前記第３の布団片の連結部におけるこたつ板が配置される領域までスライド可能な第３のオープンファスナーと、
一対のエレメントが前記第２の布団片と前記第３の布団片の連結部に配置され、その開具が前記第２の布団片と前記第３の布団片の連結部における他方の端部に配置されるとともに、そのスライダーがその開具に当接する位置から前記第２の布団片と前記第３の布団片の連結部におけるこたつ板が配置される領域までスライド可能な第４のオープンファスナーと、
を備えることを特徴とするこたつ布団。
【請求項４】
請求項３に記載のこたつ布団において、
前記第１のオープンファスナーにおける蝶棒は前記第２の布団側に配設されたエレメントに付設され、前記第２のオープンファスナーにおける蝶棒は前記第１の布団側に配設されたエレメントに付設されるとともに、
前記第３のオープンファスナーにおける蝶棒は前記第３の布団側に配設されたエレメントに付設され、前記第４のオープンファスナーにおける蝶棒は前記第２の布団側に配設されたエレメントに付設されるこたつ布団。
【請求項５】
請求項３に記載のこたつ布団において、
前記第１の布団片と前記第３の布団片とは、その内部に羽毛が封入された構成を有し、
前記第２の布団片は、中央部における化学繊維から成る綿材が封入た領域の両側に羽毛が封入された領域を備えた構成を有するこたつ布団。
【発明の詳細な説明】
【技術分野】
【０００１】
この発明はこたつ布団に関する。
【背景技術】
【０００２】
やぐらごたつ（櫓炬燵）に使用するこたつ布団は、シーズン終了後等において洗濯を行うことが好ましい。しかしながら、このようなこたつ布団は比較的大型であるため、家庭用の洗濯機による洗濯は困難であり、煩雑な手洗いを実行するか、クリーニング店に洗濯を依頼する必要があった。
【０００３】
一方、敷き布団に対しては、その洗濯を容易とするため、立体マチからなる間仕切りにより複数個に分割されてなる敷き布団側地に、上部と下部は詰め綿、中央部は固綿からなる３層構造の中袋を複数個挿入することにより、家庭で容易に選択が可能な敷き布団が提案されている（特許文献１参照）。
【特許文献１】特開２００２−１０２０２０
【発明の開示】
【発明が解決しようとする課題】
【０００４】
柔軟性を要求されるこたつ布団には、上述した特許文献１に記載された敷き布団の構成を応用することは困難である。また、特許文献１に記載された敷き布団においては、複数個の中袋を連結するためには、繁雑な作業が必要となるという問題も生ずる。
【０００５】
このため、複数の布団片を使用するこたつ布団を採用するときには、各布団片を容易に連結し得る構成とする必要がある一方、こたつ布団は人がこたつ内に入る際に引っ張られることから、各布団片を強く連結する必要がある。
【０００６】
さらに、一般にやぐらごたつは、居間等の人が頻繁に歩行する場所に設置されることから、これが踏まれた場合等においても安全であることが要請される。
【０００７】
この発明は上記課題を解決するためになされたものであり、容易に複数に分割可能で家庭で洗濯することができ、さらに、居間等に設置した場合も安全性の高いこたつ布団を提供することを目的とする。
【課題を解決するための手段】
【０００８】
請求項１に記載の発明は、互いに連結されることによりこたつ布団を構成する複数の布団片と、前記布団片を互いに連結するためのオープンファスナーとから成るこたつ布団であって、前記オープンファスナーの開具は前記複数の布団片における連結部の端部に配置されるとともに、前記オープンファスナーのスライダーは、当該オープンファスナーを閉じた状態においてこたつ板が載置される領域に配置されることを特徴とする。
【０００９】
請求項２に記載の発明は、互いに連結されることによりこたつ布団を構成する第１、第２、第３の布団片と、前記第１の布団片と前記第２の布団片とを連結するための、その開具が前記第１の布団片と前記第２の布団片の連結部における両方の端部に配置され、一対のスライダーが前記各開具と当接する位置からこたつ板が配置される領域までスライド可能なオープンファスナー機構と、前記第２の布団片と前記第３の布団片とを連結するための、その開具が前記第２の布団片と前記第３の布団片の連結部における両方の端部に配置され、一対のスライダーが前記各開具と当接する位置からこたつ板が配置される領域までスライド可能なオープンファスナー機構とを備えることを特徴とする。
【００１０】
請求項３に記載の発明は、互いに連結されることによりこたつ布団を構成する第１、第２、第３の布団片と、一対のエレメントが前記第１の布団片と前記第２の布団片の連結部に配置され、その開具が前記第１の布団片と前記第２の布団片の連結部における一方の端部に配置されるとともに、そのスライダーがその開具に当接する位置から前記第１の布団片と前記第２の布団片の連結部におけるこたつ板が配置される領域までスライド可能な第１のオープンファスナーと、一対のエレメントが前記第１の布団片と前記第２の布団片の連結部に配置され、その開具が前記第１の布団片と前記第２の布団片の連結部における他方の端部に配置されるとともに、そのスライダーがその開具に当接する位置から前記第１の布団片と前記第２の布団片の連結部におけるこたつ板が配置される領域までスライド可能な第２のオープンファスナーと、一対のエレメントが前記第２の布団片と前記第３の布団片の連結部に配置され、その開具が前記第２の布団片と前記第３の布団片の連結部における一方の端部に配置されるとともに、そのスライダーがその開具に当接する位置から前記第２の布団片と前記第３の布団片の連結部におけるこたつ板が配置される領域までスライド可能な第３のオープンファスナーと、一対のエレメントが前記第２の布団片と前記第３の布団片の連結部に配置され、その開具が前記第２の布団片と前記第３の布団片の連結部における他方の端部に配置されるとともに、そのスライダーがその開具に当接する位置から前記第２の布団片と前記第３の布団片の連結部におけるこたつ板が配置される領域までスライド可能な第４のオープンファスナーとを備えることを特徴とする。
【００１１】
請求項４に記載の発明は、請求項３に記載の発明において、前記第１のオープンファスナーにおける蝶棒は前記第２の布団側に配設されたエレメントに付設され、前記第２のオープンファスナーにおける蝶棒は前記第１の布団側に配設されたエレメントに付設されるとともに、前記第３のオープンファスナーにおける蝶棒は前記第３の布団側に配設されたエレメントに付設され、前記第４のオープンファスナーにおける蝶棒は前記第２の布団側に配設されたエレメントに付設される。
【００１２】
請求項５に記載の発明は、請求項３に記載の発明において、前記第１の布団片と前記第３の布団片とは、その内部に羽毛が封入された構成を有し、前記第２の布団片は、中央部における化学繊維から成る綿材が封入た領域の両側に羽毛が封入された領域を備えた構成を有する。
【発明の効果】
【００１３】
請求項１乃至請求項３に記載の発明によれば、ファスナーを利用して複数の布団片を連結することから、複数の布団片を確実に連結することができ、また、容易に複数に分割可能であることから家庭で容易に洗濯することが可能となる。また、使用時においては、スライダーがこたつ板が載置される領域に配置されることから、居間等に設置した場合に人がこたつ布団を踏んだとしても、怪我をすることを防止して高い安全性を確保することが可能となる。
【００１４】
請求項４に記載の発明によれば、第１の布団片と第３の布団片との間に、第２の布団片を複数個連結することが可能となる。このため、一方向に長いこたつ布団を形成することができる。
【００１５】
請求項５に記載の発明によれば、第１の布団片と第３の布団片とは、その内部に羽毛が封入された構成を有し、第２の布団片は、中央部における化学繊維から成る綿材が封入た領域の両側に羽毛が封入された領域を備えた構成を有することから、容易に洗濯を行うことが可能となり、また、こたつ布団の価格を安価なものとすることが可能となる。
【発明を実施するための最良の形態】
【００１６】
以下、この発明の実施の形態を図面に基づいて説明する。図１および図２は、この発明に係るこたつ布団の概要図である。なお、図１は各布団片１１、１２、１３を連結した状態を、また、図２は各布団片１１、１２、１３を分解した状態を示している。
【００１７】
このこたつ布団は、第１の布団片１１と、第２の布団片１２と、第３の布団片１３と、第１のオープンファスナー２１と、第２のオープンファスナー２２と、第３のオープンファスナー２３と、第４のオープンファスナー２４とを備える。なお、オープンファスナーとは、開製品とも呼称され、スライダーを一番下まで下ろすことにより、左右のエレメントを離すことができるファスナーである。
【００１８】
第１の布団片１１および第３の布団片１３は、その長さが２００ｃｍ程度、また、その幅が６６ｃｍ程度の大きさを有する側地の中に、羽毛を封入した構成を有する。そして、第１の布団片１１および第３の布団片１３は、２２ｃｍ程度のピッチでキルト加工されている。第１の布団片１１および第３の布団片１３の側地は、ポリエステルが５０％以上の材質から構成されている。このため、第１の布団片１１および第３の布団片１３は、洗濯後に容易に乾燥する性質を有する。
【００１９】
第２の布団片１２は、その長さが２００ｃｍ程度、また、その幅が６６ｃｍ程度の大きさを有する側地の中に、羽毛と化学繊維からなる綿材とを封入した構成を有する。すなわち、第２の布団片１２における中央部のこたつ板が載置されるべき領域７０には、化学繊維からなる綿材が封入されている。また、この中央部の領域７０の両側の領域には、羽毛が封入されている。この第２の布団片１２も、２２ｃｍ程度のピッチでキルト加工されている。第２の布団片１２の側地は、ポリエステルが５０％以上の材質から構成されている。このため、第２の布団片１２も、洗濯後に容易に乾燥する性質を有する。
【００２０】
なお、このように、第２の布団片１２における中央部のこたつ板が載置されるべき領域７０に化学繊維からなる綿材を適用することにより、こたつ布団の高級感や性能の低下を防止しながら、こたつ布団全体の価格を安価にすることが可能となる。
【００２１】
第１の布団片１１と第２の布団片１２とは、第１のオープンファスナー２１と第２のオープンファスナー２２とにより連結される。
【００２２】
第１のオープンファスナー２１は、その一対のエレメント３１、３２が第１の布団片１１と第２の布団片１２の連結部に配置されている。そして、その開具を構成する箱３３、箱棒３４および蝶棒３５（いずれも、図１参照）が、第１の布団片１１と第２の布団片１２の連結部における一方の端部に配置されている。さらに、そのスライダー３０は、その開具に当接する位置から第１の布団片１１と第２の布団片１２の連結部における略中央部のこたつ板が配置される領域までスライド可能となっている。
【００２３】
第２のオープンファスナー２２は、その一対のエレメント４１、４２が第１の布団片１１と第２の布団片１２の連結部に配置されている。そして、その開具を構成する箱、箱棒および蝶棒４５（図２参照）が第１の布団片１１と第２の布団片１２の連結部における他方の端部に配置されている。さらに、そのスライダー４０は、その開具に当接する位置から第１の布団片１１と第２の布団片１２の連結部における略中央部のこたつ板が配置される領域までスライド可能となっている。
【００２４】
第２の布団片１２と第３の布団片１３とは、第３のオープンファスナー２３と第４のオープンファスナー２４とにより連結される。
【００２５】
第３のオープンファスナー２３は、その一対のエレメント５１、５２が第２の布団片１２と第３の布団片１３の連結部に配置されている。そして、その開具を構成する箱、箱棒および蝶棒が、第２の布団片１２と第３の布団片１３の連結部における一方の端部に配置されている。さらに、そのスライダー５０は、その開具に当接する位置から第２の布団片１２と第３の布団片１３の連結部における略中央部のこたつ板が配置される領域までスライド可能となっている。
【００２６】
第４のオープンファスナー２４は、その一対のエレメント６１、６２が第２の布団片１２と第３の布団片１３の連結部に配置されている。そして、その開具を構成する箱、箱棒および蝶棒が第２の布団片１２と第３の布団片１３の連結部における他方の端部に配置されている。さらに、そのスライダー６０は、その開具に当接する位置から第２の布団片１２と第３の布団片１３の連結部における略中央部のこたつ板が配置される領域までスライド可能となっている。
【００２７】
以上のような構成を有するこたつ布団においては、第１、第２、第３の布団片１１、１２、１３を互いに連結するときには、第１、第２、第３、第４のオープンファスナー２１、２２、２３、２４における各スライダー３０、４０、５０、６０を各々の箱に当接させた状態で、各々の蝶棒を箱内に差し込み、各スライダー３０、４０、５０、６０を連結後のこたつ布団の中央部に向かってスライドさせる。これにより、第１、第２、第３の布団片１１、１２、１３が互いに連結してこたつ布団を形成することができる。
【００２８】
このときには、第１、第２、第３の布団片１１、１２、１３が第１、第２、第３、第４のオープンファスナー２１、２２、２３、２４により連結されることから、人がこたつ内に入る際にこたつ布団が強く引っ張られたとしても、第１、第２、第３の布団片１１、１２、１３が分離状態となることはない。
【００２９】
また、この状態においては、第１、第２、第３、第４のオープンファスナー２１、２２、２３、２４における各スライダー３０、４０、５０、６０は、第１の布団片１１と第２の布団片１２の連結部、または、第２の布団片１２と第３の布団片１３との連結部における略中央部のこたつ板が配置される領域まで移動している。このため、やぐらごたつを居間等に設置した場合に人がこたつ布団を踏んだとしても、大きな突起となる各スライダー３０、４０、５０、６０を踏むことはないので、怪我をすることを防止して高い安全性を確保することが可能となる。
【００３０】
一方、このこたつ布団を洗濯する場合においては、第１、第２、第３、第４のオープンファスナー２１、２２、２３、２４における各スライダー３０、４０、５０、６０を、各々の開具方向に移動させることにより、第１、第２、第３の布団片１１、１２、１３を互いに分離状態とすることができる。このため、このこたつ布団を家庭用の洗濯機により容易に選択することが可能となる。
【００３１】
なお、上述した実施形態においては、図３に示すように、第２の布団片１２の両側に第１の布団片１１および第２の布団片１３を連結して、略正方形のこたつ布団を形成している。しかしながら、この発明に係るこたつ布団においては、第１、第２、第３の布団片１１、１２、１３をオープンファスナーにより連結する構成であることから、図４に示すように、互いに連結状態にある２個の第２の布団片１２の両側に第１の布団片１１および第２の布団片１３を連結して、長方形のこたつ布団を形成することも可能となる。
【図面の簡単な説明】
【００３２】
【図１】この発明に係るこたつ布団の概要図である。
【図２】この発明に係るこたつ布団の概要図である。
【図３】こたつ布団の連結状態を示す概要図である。
【図４】こたつ布団の連結状態を示す概要図である。
【符号の説明】
【００３３】
１１      第１の布団片
１２      第２の布団片
１３      第３の布団片
２１      第１のオープンファスナー
２２      第２のオープンファスナー
２３      第３のオープンファスナー
２４      第４のオープンファスナー
３０      スライダー
３１      エレメント
３２      エレメント
３３      箱
３４      箱棒
３５      蝶棒
４０      スライダー
４１      エレメント
４２      エレメント
４５      蝶棒
５０      スライダー
５１      エレメント
５２      エレメント
６０      スライダー
６１      エレメント
６２      エレメント
７０      中央部の領域
【図１】
2005261517.tif 000003
【図２】
2005261517.tif 000004
【図３】
2005261517.tif 000005
【図４】
2005261517.tif 000006